(57)【特許請求の範囲】
【請求項１】
中蓋（４）が螺合し化粧皿（１０）を収納した環状壁（５）が立設されているとともに収納凹所（６）を画成する中枠（３）がはめ込まれた容器本体（１）と、前記中蓋（４）の上部が貫通するとともに前記中蓋（４）の下部が嵌合可能な貫通孔（７）を有する蓋体（２）との各後部を蝶着してなり、前記中蓋（４）の外周面の中程は前記貫通孔（７）から前記蓋体（２）外への抜け出しを防止する径大部（９）に形成されていることを特徴とする螺子蓋付きコンパクト容器。
【請求項２】
径大部（９）が鍔状に形成されていることを特徴とする請求項１記載の螺子蓋付きコンパクト容器。
【発明の詳細な説明】
【０００１】
【産業上の利用分野】
本発明は、水分やアルコール分を含む流動性のある化粧料や揮発性化粧料を収納するのに好適な気密性に優れたコンパクト容器に関する。
【０００２】
【従来の技術】
気密性を必要とする化粧料を収納したコンパクト容器として従来より種々の考案が提案されているが、実公昭６１ー１２８９５号公報の第二実施例として開示された螺子蓋が自由にコンパクト容器に着脱できるねじ込み式の密閉手段が最も確実性が高く取り扱いが簡単なものとして知られている。
【０００３】
この従来のコンパクト容器は、図５に示すように、容器本体５１と蓋体５２と中板５３とが後部でヒンジ結合されたコンパクト容器であって、前記中板５３の上面中央部に収容部５４を形成する環状壁５５の外周面に雄螺子５６を設ける一方、中蓋５７の内周面に前記雄螺子５６に螺合する雌螺子（図示略）を設けて中蓋５７を環状壁５５に螺着し、ねじ込み式のコンパクト容器としたものである。
【０００４】
【発明が解決しようとする課題】
ところで、前記従来のコンパクト容器にあっては、容器本体５１に中蓋５７が自由に着脱できるねじ込み式であるので取り扱い易く気密性も高いが、中蓋５３全体が蓋体５２の中に収納される構成であるのでコンパクト容器が分厚くなり、デザインのうえで難点となっていた。
【０００５】
また、取り外した中蓋５３は化粧中にはコンパクト容器の外に置かねばならず、誤って紛失したり汚したりすることがあり、邪魔な存在となっていた。
【０００６】
本発明は、上記の問題に鑑みてなされたもので、螺子蓋を用いて気密性を確実にするとともに、薄形でデザイン的にもすぐれ、且つ取り扱い易いコンパクト容器を提供することを目的としている。
【０００７】
【課題を解決するための手段】
本発明に係わる螺子蓋付きコンパクト容器は、中蓋が螺合し化粧皿を収納した環状壁が立設されているとともに収納凹所を画成する中枠がはめ込まれた容器本体と、前記中蓋の上部が貫通するとともに前記中蓋の下部が嵌合可能な貫通孔を有する蓋体との各後部を蝶着してなり、前記中蓋の外周面の中程は前記貫通孔から前記蓋体外への抜け出しを防止する径大部に形成されていることをを特徴としている。
【０００８】
【作用】
本発明に係わる螺子蓋付きコンパクト容器にあっては、蓋体の貫通孔に化粧皿を密閉した中蓋を貫通させて中蓋の天面が露出するように構成されているので、コンパクト容器が薄形にできる。
【０００９】
また、蓋体に設けた貫通孔は中蓋の下方からも遊嵌させることが可能であり、且つ中蓋の外周面の中程は抜け出しを防止するように径大部に形成してあるので、取り外した中蓋を摘んだ状態で開口部を下方に向けたまま開いた蓋体の内側から貫通孔にはめ込んでおき、コンパクト容器内に一時保管ができる。
【００１０】
【実施例】
以下、本発明の好適な一実施例を図面を参照しながら詳細に説明する。
【００１１】
図１乃至図３は、本発明に係わる螺子蓋付きコンパクト容器の好適な実施例を示すもので、中枠３がはめ込まれた容器本体１と、この容器本体１の上面を覆う蓋体２とが、後端壁で開閉自在に蝶番ピン１１によって蝶着されてなり、これらの部材はそれぞれＳＡＮ、ＡＢＳなど汎用の合成樹脂材料を用いて形成されている。
【００１２】
図に示すように、扁平な有底の箱体に中枠４を収納してなる容器本体１は、中枠３による内周壁１２で囲まれたパフ（図示せず）を収納する収納凹所６と、この収納凹所６の前方に区画して立設された化粧料Ｋが充填されている化粧皿１０がはめ込まれた環状壁５とを備え、容器本体１の前壁にはフック１３を突設した凹所２２が設けられている。
【００１３】
前記環状壁５の外周にはリードの短い飛び螺子状の雄螺子が１４が設けられ、中蓋４の内周に設けられた雌螺子１５と螺合し中蓋４を締め付けることにより前記中蓋４の内頂部に貼着されたパッキン１６が化粧皿１０の全面を覆って密封し化粧料Ｋを気密に保持するようになっている。
【００１４】
また、中蓋４の外周の中程は鍔状の径大部９に形成されていて、中蓋４の外周を上部外周１７と下部外周１８とに区画し、上部外周１７の部分、即ち中蓋４の上部が蓋体２の天板１９に貫設された貫通孔７に遊嵌して中蓋４の天面２０が天板１９から露出した構成となっている。
【００１５】
一方、蓋体２は、天板１９の周縁から浅い周壁２１が垂設され、この周壁２１の前方には前記容器本体１の凹所２２に設けられたフック１３に掛合するフック２３を内側に設けた掛止片２４が突設され、各々フック１２，２３が掛合して容器本体１に覆合しその上面を閉塞している。
【００１６】
また、蓋体２の内面には化粧用の鏡２５が貼着されているとともに、鏡２５と並んで前述の貫通孔７が貫設されている。
【００１７】
貫通孔７は中蓋４の上部外周１７の部分、即ち中蓋４の上部を遊嵌し蓋体２の天板１９内に定置することによりコンパクト容器の薄形を計るとともに、図３に示すように外した中蓋４の下部外周１８と嵌合することが可能とされ、取り外した中蓋４を摘んだ状態で中蓋４の開口部２６を下方に向けたまま開いた蓋体２の内側から貫通孔７にはめ込めるようになっている。
【００１８】
そして、中蓋４の外周面の中程は抜け出し防止のため径大部９に形成してあり、径大部９の下面が貫通孔７の周縁に乗って蓋体２内から外に落下することを防止している。
【００１９】
尚、本実施例における抜け出し防止のための径大部９は、図に於いては鍔状に周設されているが、要は抜け出し防止のストッパであるのでこの形状に限るものではなく、帯条に周設されたものでも中蓋４の外周に複数個の突起を連設したものでもよい。
【００２０】
また、本発明は、図１乃至図３に示した縦長に開閉するコンパクト容器に限るものではなく、図４に示すように横長に開閉させたコンパクト容器に周知の構造の押し釦式フック開放片２７を設けた構成のコンパクト容器にも適用されることは言うまでもない。
【００２１】
以上のように構成されたコンパクト容器は、蓋体２を開蓋しても化粧料Ｋは中蓋４により密閉状態にある。従ってこれを使用するときは、中蓋４を外し、化粧料Ｋが付着し易い中蓋４の開口部２６を下に向けたまま貫通孔７にはめ込んで保持させればよい。
【００２２】
中蓋４は化粧中もコンパクト容器内に保持できるので誤って紛失したり汚したりする心配がなく、化粧が終われば中蓋４を貫通孔７から引き抜いてそのまま環状壁５に螺合し、通常のジャーを閉蓋する感覚で化粧料Ｋを気密に密閉することができる。
【００２３】
【発明の効果】
本発明に係わる螺子蓋付きコンパクト容器によれば、気密性の確実な螺子蓋を使用しながら蓋体の貫通孔に化粧皿を密閉した中蓋を貫通させて中蓋の天面が露出するように構成したので、コンパクト容器を薄形にすることができるととも、中蓋を蓋体とを別の色に着色しり中蓋の天面にホットスタンプや印刷を施すことにより、デザインを多彩にすることができる。
【００２４】
また、取り外した中蓋を摘んだ状態で開口部を下方に向けたまま開いた蓋体の内側から貫通孔にはめ込んで簡単に一時保管ができるようにしたので、外した中蓋が邪魔になることがなく化粧に集中できるとともに、誤って中蓋を紛失したり汚したりする心配がない。
【図面の簡単な説明】
【図１】本発明に係わる螺子蓋付きコンパクト容器の実施例を示す従断面図。
【図２】同螺子蓋付きコンパクト容器の斜視図。
【図３】同螺子蓋付きコンパクト容器の使用状態を示す要部破断図。
【図４】同螺子蓋付きコンパクト容器の別の実施例の外観を示す斜視図。
【図５】従来の螺子蓋付きコンパクト容器の斜視図。
【符号の説明】
１  容器本体，２  蓋体，３  中枠，４  中蓋，５  環状壁，６  収納凹所，７  貫通孔，９  径大部。
【図１】
0003593570.tif 000002
【図２】
0003593570.tif 000003
【図３】
0003593570.tif 000004
【図４】
0003593570.tif 000005
【図５】
0003593570.tif 000006